(57)【要約】【課題】  低コストで且つ容易に潤滑剤供給部材に潤滑剤を補給できると共に、補給口からの異物やクーラントの侵入を抑えて潤滑剤や潤滑剤供給部材の劣化を防止する。【解決手段】  スライダ２の軸方向の端部に取り付けられ、案内レール１に摺接して潤滑剤を供給する潤滑剤供給部材１５と、該潤滑剤供給部材１５を収容するケース１６とを備えた直動案内軸受装置であって、前記潤滑剤供給部材１５に潤滑剤を補給するための補給口２０を前記ケース１６に設けると共に、前記補給口２０を開閉自在に閉塞する閉塞部材３０を備える。【選択図】      図１
2005221005.tif 000002
【特許請求の範囲】
【請求項１】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダの軸方向の端部に取り付けられ、前記案内レールに摺接して潤滑剤を供給する潤滑剤供給部材と、該潤滑剤供給部材を収容するケースとを備えた直動案内軸受装置であって、
前記潤滑剤供給部材に潤滑剤を補給するための補給口を前記ケースに設けると共に、前記補給口を開閉自在に閉塞する閉塞部材を備えたことを特徴とする直動案内軸受装置。
【請求項２】
前記閉塞部材は前記補給口に着脱自在に圧入され、該閉塞部材と前記補給口との間に引っ掛かり代を設けたことを特徴とする請求項１に記載した直動案内軸受装置。
【請求項３】
前記閉塞部材は前記ケース内に設けた付勢部材の付勢力により前記補給口を閉じ、該閉塞部材を前記付勢部材の付勢力に抗してスライド移動させることにより前記補給口を開くことを特徴とする請求項１に記載した直動案内軸受装置。
【請求項４】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダの軸方向の端部に取り付けられ、前記案内レールに摺接して潤滑剤を供給する潤滑剤供給部材と、該潤滑剤供給部材を収容するケースとを備えた直動案内軸受装置であって、
前記ケースに開口部を設けると共に、該開口部を弾性部材で閉塞し、且つ前記弾性部材に潤滑剤供給部材に潤滑剤を補給するための微小補給穴を設けたことを特徴とする直動案内軸受装置。
【請求項５】
前記微小補給穴に薄膜を設けたことを特徴とする請求項４に記載した直動案内軸受装置。
【発明の詳細な説明】
【技術分野】
【０００１】
本発明は、例えば、産業機械等に用いられる直動案内軸受装置に関する。
【背景技術】
【０００２】
従来の一般的な直動案内軸受装置としては、例えば図１２に示すものが知られている。  この直動案内軸受装置は、軸方向に延びる案内レール１と、該案内レール１上に軸方向に相対移動可能に跨架されたスライダ２とを備える。
案内レール１の両側面にはそれぞれ軸方向に延びる転動体転動溝３が形成されており、スライダ２のスライダ本体２Ａには、その両袖部４の内側面に、それぞれ転動体転動溝３に対向する転動体転動溝７が形成されている。そして、これらの向き合った両転動体転動溝３，７の間には転動体の一例としての多数のボールＢが転動自在に装填され、これらのボールＢの転動を介してスライダ２が案内レール１上を軸方向に沿って相対移動できるようになっている。
【０００３】
この移動につれて、案内レール１とスライダ２との間に介在するボールＢは転動してスライダ２の端部に移動するが、スライダ２を軸方向に継続して移動させていくためには、これらのボールＢを無限に循環させる必要がある。
このため、スライダ本体２Ａの袖部４内に軸方向に貫通する転動体通路８を形成すると共に、スライダ本体２Ａの両端にそれぞれ略コ字状のエンドキャップ５を例えばねじ１２等の固定手段を介して固定し、このエンドキャップ５に上記両転動体転動溝３，７間と上記転動体通路８とを連通する半円弧状に湾曲した方向転換路６を形成することにより、転動体無限循環軌道を形成している。なお、図１２において、符号１１はエンドキャップ５と共にスライダ本体２Ａの端面にねじ１２等を介して固定されたサイドシール、１０はスライダ本体２Ａの端面に形成されたねじ１２のタップ穴、１３は給脂用ニップル、１４は案内レール１の固定用のボルト挿通穴である。
【０００４】
ところで、工作機械等のように周辺に切削粉等の異物が発生する機械装置に用いる直動案内軸受装置では、上述したサイドシール１１によるシールだけでは十分でなく、かつ潤滑条件も厳しくなることから、従来においては、図１３に示すように、サイドシール１１とエンドキャップ５との間に潤滑剤供給部材１５をスライダ２の軸方向に複数枚配置して複数枚の潤滑剤供給部材１５をケース１６内に収容したものや（例えば特許文献１及び特許文献２参照）、該ケース１６に潤滑剤供給部材１５に潤滑剤を補給するための補給口（図示せず）を設けたもの（例えば特許文献３参照）が提案されている。
【０００５】
潤滑剤供給部材１５は樹脂材やフェルト材等に潤滑剤を含浸させたもので、エンドキャップ５と同様に略コ字状に形成されており、コ字状両端部内側には案内レール１の転動体転動溝３に摺接して潤滑剤を供給する摺接部（図示せず）が突設されている。
【特許文献１】特許第３２８８９６１号公報
【特許文献２】特開平１０−２２７３１１号公報
【特許文献３】特開平１１−８２５０７号公報
【発明の開示】
【発明が解決しようとする課題】
【０００６】
しかしながら、特許文献１においては、ケース１６に補給口を設けていないため、潤滑剤供給部材１５の潤滑剤が枯渇した場合はケース１６ごと交換する必要があり、しかもこの交換作業は機台に案内レール１を組み付けた後に行うことになるため交換作業が煩雑となる。
また、特許文献２では、外部に潤滑剤供給システム等を配置して潤滑剤供給部材１５に潤滑剤を補給することにより、ケース１６の交換の必要はなくなるが、ケース１６と給油タンクとをつなぐ配管が必要となり、装置が複雑となってコスト高となる。
【０００７】
更に、特許文献３では、ケース１６に補給口を設けているので潤滑剤供給部材１５に適宜潤滑剤が補給可能となるが、補給口を開口したままの場合、外部から異物やク−ラントが潤滑剤供給部材１５に侵入して潤滑剤や潤滑剤供給部材１５が劣化する可能性がある。  本発明はこのような不都合を解消するためになされたものであり、低コストで且つ容易に潤滑剤供給部材に潤滑剤を補給することができると共に、異物やクーラントの侵入を抑えて潤滑剤や潤滑剤供給部材の劣化を防止することができる直動案内軸受装置を提供することを目的とする。
【課題を解決するための手段】
【０００８】
上記目的を達成するために、請求項１に係る発明は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダの軸方向の端部に取り付けられ、前記案内レールに摺接して潤滑剤を供給する潤滑剤供給部材と、該潤滑剤供給部材を収容するケースとを備えた直動案内軸受装置であって、
前記潤滑剤供給部材に潤滑剤を補給するための補給口を前記ケースに設けると共に、前記補給口を開閉自在に閉塞する閉塞部材を備えたことを特徴とする。
【０００９】
請求項２に係る発明は、請求項１において、前記閉塞部材は前記補給口に着脱自在に圧入され、該閉塞部材と前記補給口との間に引っ掛かり代を設けたことを特徴とする。
請求項３に係る発明は、請求項１において、前記閉塞部材は前記ケース内に設けた付勢部材の付勢力により前記補給口を閉じ、該閉塞部材を前記付勢部材の付勢力に抗してスライド移動させることにより前記補給口を開くことを特徴とする。
【００１０】
請求項４に係る発明は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダの軸方向の端部に取り付けられ、前記案内レールに摺接して潤滑剤を供給する潤滑剤供給部材と、該潤滑剤供給部材を収容するケースとを備えた直動案内軸受装置であって、
前記ケースに開口部を設けると共に、該開口部を弾性部材で閉塞し、且つ前記弾性部材に潤滑剤供給部材に潤滑剤を補給するための微小補給穴を設けたことを特徴とする。
請求項５に係る発明は、請求項４において、前記微小補給穴に薄膜を設けたことを特徴とする。
【発明の効果】
【００１１】
本発明によれば、潤滑剤を潤滑剤供給部材に補給する際はケースの補給口を開き、直動案内軸受装置が稼動する際は閉塞部材で補給口を閉じることにより、低コストで且つ容易に潤滑剤供給部材に潤滑剤を補給することができると共に、補給口からの異物やクーラントの侵入を抑えて潤滑剤や潤滑剤供給部材の劣化を防止することができる。
また、本発明では、ケースに開口部を設けると共に、該開口部を弾性部材で閉塞し、且つ弾性部材に潤滑剤供給部材に潤滑剤を補給するための微小補給穴又は薄膜を持つ微小補給穴を設けることにより、低コストで且つ容易に潤滑剤供給部材に潤滑剤を補給することができると共に、微小補給穴からの異物やクーラントの侵入を抑えて潤滑剤や潤滑剤供給部材の劣化を防止することができる。
【発明を実施するための最良の形態】
【００１２】
以下、本発明の実施の形態の一例を図を参照して説明する。図１は本発明の第１の態様の実施の形態である直動案内軸受装置を説明するための要部斜視図、図２は補給口に閉塞部材を圧入した状態を示す断面図、図３は閉塞部材の斜視図、図４〜図８は閉塞部材の変形例を説明するための図、図９〜図１１は本発明の第２の態様の実施の形態である直動案内軸受装置を説明するための図である。なお、この実施の形態では、既に図１２及び図１３で説明した従来の直動案内軸受装置と重複又は相当する部分については、図示を省略するか、各図に同一符号を付してその説明を省略する。
【００１３】
本発明の実施の形態の一例である直動案内軸受装置は、図１及び図２に示すように、サイドシール１１とエンドキャップ５との間に潤滑剤供給部材１５をスライダ２の軸方向に複数枚配置して複数枚の潤滑剤供給部材１５を樹脂又は金属等の成形品であるケース１６内に収容し、該ケース１６の上面に潤滑剤供給部材１５に潤滑剤を補給するための補給口２０を設けると共に、補給口２０に蓋部（閉塞部材）３０を着脱自在に圧入しており、これにより、補給口２０を蓋部３０によって開閉自在に閉塞している。
【００１４】
蓋部３０は例えばゴムやエラストマー材等の弾性部材で形成され、図３に示すように、ケース１６の板厚より薄い短円柱状とされて、その外周部が径方向外方に略円弧状に膨らむ形状とされている。また、蓋部３０の上面の略中央部には、把持部３１が突設されている。
補給口２０は、図２に示すように、蓋部３０が圧入される圧入穴２１と、該圧入穴２１の底面の略中央部に穿設された補給穴２２とを備えており、圧入穴２１の内周部は蓋部３０の外周形状に対応して径方向外方に略円弧状に凹む形状とされている。
【００１５】
そして、潤滑剤を潤滑剤供給部材１５に補給する際は、蓋部３０を引き抜いてケース１６の補給口２０を開くことで、補給穴２２から潤滑剤供給部材１５に潤滑剤を補給し、直動案内軸受装置が稼動する際は、蓋部３０を補給口２０の圧入穴２１に圧入して該補給口２０を閉じる。
ここで、蓋部３０の引き抜き操作及び圧入操作を把持部３１を把持して行うことで、補給口２０の開閉操作を容易にすることができる。
【００１６】
また、蓋部３０を補給口２０の圧入穴２１に圧入した状態においては、圧入穴２１の上端内周部が蓋部３０に対する引っ掛かり代２３となるため、直動案内軸受装置の稼動時における蓋部３０のケース１６からの脱落を防止することができる。
このようにこの実施の形態では、潤滑剤を潤滑剤供給部材１５に補給する際はケース１６の補給口２０を開き、直動案内軸受装置が稼動する際は蓋部３０で補給口２０を閉じるようにしているので、低コストで且つ容易に潤滑剤供給部材１５に潤滑剤を補給することができると共に、補給口２０からの異物やクーラントの侵入を抑えて潤滑剤や潤滑剤供給部材１５の劣化を防止することができる。
【００１７】
なお、上記実施の形態では、補給口２０をケース１６の上面に設けた場合を例に採ったが、これに限定されず、ケース１６に設ける補給口２０の位置は、図１の二点鎖線で示すように、ケース１６の側面、端面或いは底面としてもよく、また、補給口２０を複数箇所配置するようにしてもよい。この場合、ケース１６の側面に補給口２０を設けると、メンテナンス性や機台との干渉防止の点で有利である。
【００１８】
また、上記実施の形態では、ケース１６側に引っ掛かり代２３を設けた場合を例に採ったが、これに限定されず、蓋部側に引っ掛かり代を設けてもよく、更には、引っ掛かり代の形状もテーパ形状や段付き形状、その他の形状としてもよい。
この場合、引っ掛かり代は、蓋部のケースからの脱落を防ぎ、蓋部およびケースの成形が容易である形状であることが好ましい。
【００１９】
更に、上記実施の形態では、圧入するために蓋部３０を弾性材料とし、材質により弾性を持たせた場合を例に採ったが、これに代えて、蓋部にスリットを設ける等により、形状によって弾性を持たせるようにしてもよい。
図４及び図５は、蓋部５０側に引っ掛かり代５３を設けた例であり、この蓋部５０は例えばゴムやエラストマー材等の弾性部材で形成され、ケース１６の板厚より薄い短円柱状とされて、その外周部が径方向内方に略円弧状に凹む形状とされている。また、蓋部５０の上面の略中央部には、把持部５１が突設されている。
【００２０】
一方、ケース１６に設けられる補給口４０は、図５に示すように、内周部が蓋部５０の外周形状に対応して径方向内方に略円弧状に膨らむ形状とされている。
そして、潤滑剤を潤滑剤供給部材１５に補給する際は、蓋部５０をケース１６の補給口４０から引き抜いて該補給口４０を開くことで、補給口４０から潤滑剤供給部材１５に潤滑剤を補給し、直動案内軸受装置が稼動する際は、蓋部５０を補給口４０に圧入して該補給口４０を閉じる。
【００２１】
ここで、蓋部５０の引き抜き操作及び圧入操作を把持部５１を把持して行うことで、補給口４０の開閉操作を容易にすることができる。
また、蓋部５０を補給口４０に圧入した状態においては、蓋部５０の上下端内周部が補給口４０に対する引っ掛かり代５３となるため、直動案内軸受装置の稼動時における蓋部５０のケース１６からの脱落を防止することができる。その他の構成及び作用効果は上記実施の形態と同様である。
【００２２】
更に、上記実施の形態では、閉塞部材として補給口２０に着脱自在に圧入される蓋部３０を例に採ったが、これに代えて、図６〜図８に示すように、ケース１６に閉塞部材としてのスライド自在な窓部７０を取り付けてケース１６に設けられた補給口６０を開閉自在に閉塞するようにしてもよい。
窓部７０は、図６及び図７に示すように、補給口６０の周囲に設けられたスライド空間７３内をスライド移動するようになっている。
【００２３】
そして、直動案内軸受装置が稼動する際は、図７に示すように、該スライド空間７３内に設けられたコイルばね（付勢部材）７２の付勢力により補給口６０を閉じ、潤滑剤を潤滑剤供給部材１５に補給する際は、図８に示すように、窓部７０をコイルばね７２の付勢力に抗してスライド移動させて補給口６０を開くことで、補給口６０から潤滑剤供給部材１５に潤滑剤を補給する。
【００２４】
また、窓部７０の上面には把持部７１が突設され、補給口６０の上端内周部には窓部７０をコイルばね７２の付勢力に抗してスライド移動させた際に把持部７１が収納される切欠き６１が形成されている。ここで、窓部７０のスライド操作を把持部７１を把持して行うことで、補給口６０の開閉操作を容易にすることができる。その他の構成及び作用効果は上記実施の形態と同様である。
【００２５】
次に、図９〜図１１を参照して、本発明の第２の態様の実施の形態である直動案内軸受装置を説明する。なお、上記実施の形態と重複又は相当する部分については、その説明を省略する。
この実施の形態は、基本的構造は既に図２で説明したものと同一であるが、図１１に示すように、図２のケース１６に設けた補給口２０が単に開口部９０とされ、図２の蓋部３０が単に弾性部材８０とされている。
【００２６】
即ち、弾性部材８０による開口部９０の開閉操作は行わず、この弾性部材８０に、潤滑剤供給部材１５に潤滑剤を補給するための微小補給穴８１（図９参照）又は薄膜８２を持った微小補給穴８１（図１０参照）を設け、該微小補給穴８１から針状のチューブ等で潤滑剤を潤滑剤供給部材１５に補給可能とすることで、低コストで且つ容易に潤滑剤供給部材１５に潤滑剤を補給することができると共に、微小補給穴８１からの異物やクーラントの侵入を抑えて潤滑剤や潤滑剤供給部材１５の劣化を防止することができるようにしたものである。
なお、本例の場合は、一体成形等によりケース１６と弾性部材８０を一体としてもよい。また、弾性部材及び開口部の形状は特に限定されず、種々の形状を採用してもよいのは勿論である。
【図面の簡単な説明】
【００２７】
【図１】本発明の第１の態様の実施の形態である直動案内軸受装置を説明するための要部斜視図である。
【図２】補給口に閉塞部材を圧入した状態を示す断面図である。
【図３】閉塞部材の斜視図である。
【図４】閉塞部材の変形例を示す斜視図である。
【図５】補給口に図4 の閉塞部材を圧入した状態を示す断面図である。
【図６】閉塞部材の変形例を説明するための平面図である。
【図７】図６のＡ−Ａ線断面図である。
【図８】図７の補給口を開口した状態を示す断面図である。
【図９】本発明の第２の態様の実施の形態である直動案内軸受装置に用いる弾性部材を説明するための斜視図である。
【図１０】弾性部材の変形例を説明するための斜視図である。
【図１１】弾性部材をケースに設けた開口部に嵌め込んだ状態を示す断面図である。
【図１２】従来の直動案内軸受装置を説明するための一部を破断した斜視図である。
【図１３】複数枚の潤滑剤供給部材をケースに収容した状態でスライダの端部に取り付けた状態を示す斜視図である。
【符号の説明】
【００２８】
１  案内レール
２  スライダ
３  転動体転動溝（案内レール側）
７  転動体転動溝（スライダ側）
Ｂ  ボール（転動体）
１５  潤滑剤供給部材
１６  ケース
２０  補給口
２３  引っ掛かり代
３０  蓋部（閉塞部材）
４０  補給口
５０  蓋部（閉塞部材）
５３  引っ掛かり代
６０  補給口
７０  窓部（閉塞部材）
７２  コイルばね（付勢部材）
８０  弾性部材
８１  微小補給穴
８２  薄膜
９０  開口部
【図１】
2005221005.tif 000003
【図２】
2005221005.tif 000004
【図３】
2005221005.tif 000005
【図４】
2005221005.tif 000006
【図５】
2005221005.tif 000007
【図６】
2005221005.tif 000008
【図７】
2005221005.tif 000009
【図８】
2005221005.tif 000010
【図９】
2005221005.tif 000011
【図１０】
2005221005.tif 000012
【図１１】
2005221005.tif 000013
【図１２】
2005221005.tif 000014
【図１３】
2005221005.tif 000015